(57)【要約】 【課題】                  例えばパチンコ機やスロットマシンの前扉の施錠装置に好適で、その防御能力を強化し、不正行為やその隠蔽ないし偽装を容易かつ速やかに発見できるとともに、不正行為に伴なう強力な破壊力に対抗でき、しかも既設の遊技機の後付けに対応できる、遊技機等の施錠装置を提供すること。【解決手段】    枠体８に扉体１１を開閉可能に取り付ける。  前記扉体１１側に第１の錠前３９と、該第１の錠前３９の施解錠作動に連動可能な複数のフック片２６,２７とを設ける。  前記枠体８側に前記フック片２６,２７と係合可能な複数の係止片９,１０を設けた、遊戯機等の施錠装置であること。  前記扉体１１側に前記第１の錠前３９の施解錠作動に連動可能な第２の錠前４５を設ける。  前記枠体８側の前記第２の錠前４５と対応位置にロックピ−ス４６を設ける。  前記ロックピ−ス４６を前記第１の錠前３９の施解錠作動に連係して、前記第２の錠前４５に着脱可能に連結すること。  【選択図】図４
2007289356.tif 000002
【特許請求の範囲】
【請求項１】
枠体に扉体を開閉可能に取り付け、前記扉体側に第１の錠前と、該第１の錠前の施解錠作動に連動可能な複数のフック片とを設け、前記枠体側に前記フック片と係合可能な複数の係止片を設けた遊戯機等の施錠装置において、前記扉体側に前記第１の錠前の施解錠作動に連動可能な第２の錠前を設け、前記枠体側の前記第２の錠前と対応位置にロックピ−スを設け、該ロックピ−スを前記第１の錠前の施解錠作動に連係して、前記第２の錠前に着脱可能に連結したことを特徴とする遊戯機等の施錠装置。
【請求項２】
前記第２の錠前に前記ロックピ−スの一端部を連結可能なロックプレ−トを設け、該ロックプレ−トを前記第１の錠前の施解錠作動に連係して連結作動可能にした請求項１記載の遊技機等の施錠装置。
【請求項３】
前記ロックピ−スを、前記扉体側に複数位置で支持した請求項１記載の遊技機等の施錠装置。
【請求項４】
前記ロックピ−スに、前記第２の錠前に連結可能な装着部と、該装着部に作用する引張り力に変位可能な変位部とを設けた請求項１記載の遊技機等の施錠装置。
【請求項５】
前記扉体の閉扉時で、かつ前記第１および第２の錠前の施錠時に、前記ロックピ−スに引張り力を作用可能にした請求項１記載の遊技機等の施錠装置。
【請求項６】
前記複数位置で前記引張り力に対抗させた請求項３または請求項４記載の遊技機等の施錠装置。
【請求項７】
前記ロックピ−スの変位部を、一定の引張り力以上で前記扉体側へ変位可能にした請求項５記載の遊技機等の施錠装置。
【請求項８】
前記ロックピ−スの変位部の扉体側への変位によって、前記扉体と枠体との隙間を拡大し、または前記フック片と係止片とを係合不能にした請求項７記載の遊技機等の施錠装置
【請求項９】
前記ロックピ−スの装着部を、一定の引張り力以上によって、摩滅または破断可能にし、前記ロックピ−スと前記第２の錠前とを連結不能、または前記フック片と係止片とを係合不能にした請求項７３または請求項８記載の遊技機等の施錠装置。
【請求項１０】
前記ロックピ−スの第２の錠前に対する装着部と、枠体側への装着部との間に長孔を形成し、該長孔にロックピ−スを支持する係止ピンを挿入するとともに、前記長孔の前端部に前記係止ピンと係合可能な係合突起を設け、前記引張り力による係合突起の破断または摩滅後、前記ロックピ−スの変位部を変位可能にした請求項５記載の遊技機等の施錠装置
【請求項１１】
前記ロックピ−スの変位部を、鋼板を刳り貫いて閉合形の略ハ−ト形に形成した請求項４記載の遊技機等の施錠装置。
【請求項１２】
前記枠体を挟持可能な一対のホルダ−を設け、該ホルダ−にブラケットを移動可能に連結し、該ブラケットに前記ロックピ−スを設置した請求項１記載の遊技機等の施錠装置。
【請求項１３】
前記係止ピンを突設した補強板と前記ブラケットとの間にロックピ−スを配置し、前記ブラケットに複数の凸部を上下に離間して配置し、該凸部の間に前記ロックピ−スを裕度を持って係合可能に配置するとともに、前記ロックピ−スを前記ブラケットに回動可能に枢着し、該枢軸を中心に前記ロックピ−スを上下に回動可能に配置した請求項１記載の遊技機等の施錠装置。
【請求項１４】
前記変位部の内側に前記枢軸を配置した請求項１０または請求項１２項記載の遊技機等の施錠装置。
【請求項１５】
前記枠体にガイドレ−ルを上下方向に設け、該ガイドレ−ルに前記係止片を移動可能に収容し、該ガイドレ−ルの所定位置に前記係止片を固定可能にした請求項１記載の遊技機等の施錠装置。
【発明の詳細な説明】
【技術分野】
【０００１】
本発明は、例えばパチンコ機やスロットマシンの前扉の施錠装置に好適で、その防御能力を強化し、不正行為やその隠蔽ないし偽装を容易かつ速やかに発見できるとともに、不正行為に伴なう強力な破壊力に対抗でき、しかも既設の遊技機の後付けに対応できるようにした、遊技機等の施錠装置に関する。
【背景技術】
【０００２】
パチンコ機やスロットマシン等の遊技機の前扉は、外枠ないし筐体に開閉可能に取り付けられ、その開閉をシリンダ−錠で制御し、該シリンダ−錠にリンク機構を連係して施錠装置を構成している。
【０００３】
例えば前記施錠装置として、シリンダ−錠の錠軸に固定したカム板と、前扉の裏面に上下方向に配置した基枠と、該基枠に上下に摺動可能に装着した操作杆とを備え、前記カム板の変位に操作杆を連係し、また操作杆の上下端部に係止鉤片を突設し、該係止鉤片を外枠の内側に取り付けた係止金具に係合可能に配置していた。
【０００４】
そして、前記前扉を開放する際は、キ−操作を介してシリンダ−錠を解錠し、カム板を回動して操作杆を上動するとともに、これに係止鉤片を同動させて、係止鉤片と係止金具との係合を解除し、前扉を開放したものがある（例えば、特許文献１参照）。
【０００５】
しかし、前扉の裏面と外枠の端面との間に多少の隙間があるため、その隙間から薄厚の不正器具を挿入して前記係止鉤片を吊り上げると、係止鉤片と係止金具との係合が解除されて前扉が開放され、遊技機内部が不正操作されて出玉の不正行為が行なわれる惧れがある、という問題があった。
【０００６】
このような問題を解決するものとして、前扉の裏面にフレ−ムを上下方向に配置し、該フレ−ムの上下端部に爪状の突出部の基部を回動可能に連結するとともに、上下端部に長孔を形成した連結リンクを設け、該リンクの上下端部を前記突出部に重合し、かつ前記長孔と突出部にフレ−ムから突設したピンを挿通して、突出部とリンクの上下端部を揺動可能に連結し、一方、連結リンクの中間部に係合孔を設け、該孔の口縁部を起立してストッパを形成するとともに、錠軸に係合突起を突設し、該係合突起をストッパと係合孔の口縁部とに係合可能に配置していた。
【０００７】
そして、不正器具によって一方の突出部が押し下げられた場合、該突出部のみを下向きに回動し、これに連結リンクを同動させないで、他方の突出部と板状部材との係止状態を維持し、不正器具による前扉の開放を阻止するようにしていた。
【０００８】
また、不正解錠操作によって連結リンクが押し下げられた場合、前記ストッパが係合突起に係合し、連結リンクの下動を阻止して、キ−操作によるシリンダ−錠の正常な解錠によってのみ、連結リンクの下動を可能にしていた。
したがって、不正器具による突出部の押し下げ操作や、不正解錠による連結リンクの押し下げ操作を阻止し、不正解錠に対し二重の安全性を確保するようにしたものがある（例えば、特許文献２参照）。
【０００９】
しかし、前記施錠装置は、不正解錠操作による破壊力が、連結リンクを押し下げる程度の比較的小さな場合に有効であるが、前記破壊力が非常に大きい場合に対応できなかった
【００１０】
このため、大きな破壊力に対抗可能な施錠装置として、上下パネル用の主錠と副錠を連結して一体化し、これを一の前扉に設置したものがある（例えば、特許文献３参照）。
【００１１】
しかし、前記の施錠装置は、前扉の狭小なスペ−スに複数または長尺のベ−ス基板を取り付け、これらに多数の鍵片を設けるとともに、外枠の内側に鍵片を係合可能な複数の係留片を設けているため、構成が複雑化し製作費が上昇するとともに、鍵片の作動に確実性を欠いて安定した作動を得られず、実用的ではなかった。
また、前述した施錠装置は、不正に前扉が開放された後に閉扉された場合、不正事実を容易かつ速やかに発見することができず、そのまま遊技機が使用されて、不正操作の横行を阻止できなかった。
【００１２】
【特許文献１】実公昭５８−４５３８号公報
【特許文献２】特開２００３−１９３３０号公報
【特許文献３】特開２００５−３１２９１４号公報
【発明の開示】
【発明が解決しようとする課題】
【００１３】
本発明はこのような問題を解決し、例えばパチンコ機やスロットマシンの前扉の施錠装置に好適で、その防御能力を強化し、不正行為やその隠蔽ないし偽装を容易かつ速やかに発見できるとともに、不正行為に伴なう強力な破壊力に対抗でき、しかも既設の遊技機の後付けに対応できるようにした、遊技機等の施錠装置を提供することを目的とする。
【課題を解決するための手段】
【００１４】
請求項１の発明は、枠体に扉体を開閉可能に取り付け、前記扉体側に第１の錠前と、該第１の錠前の施解錠作動に連動可能な複数のフック片とを設け、前記枠体側に前記フック片と係合可能な複数の係止片を設けた遊戯機等の施錠装置において、前記扉体側に前記第１の錠前の施解錠作動に連動可能な第２の錠前を設け、前記枠体側の前記第２の錠前と対応位置にロックピ−スを設け、該ロックピ−スを前記第１の錠前の施解錠作動に連係して、前記第２の錠前に着脱可能に連結し、既設の遊技機の後付けに容易に対応できるとともに、フック片と係止片との係合解除後でも扉体の開扉を阻止し、扉体の閉扉状態を強固に防護し、その不正行為やその偽装を阻止し得るとともに、扉体の開閉を第１および第２の錠前の施解錠作動に連係して、確実かつ円滑に行なえるようにしている。
請求項２の発明は、前記第２の錠前に前記ロックピ−スの一端部を連結可能なロックプレ−トを設け、該ロックプレ−トを前記第１の錠前の施解錠作動に連係して連結作動可能にし、第１および第２の錠前の施解錠作動の連係を実現し得るようにしている。
【００１５】
請求項３の発明は、前記ロックピ−スを、前記扉体側に複数位置で支持し、ロックピ−スの支持の安定化を図るとともに、ロックピ−スの段階的な変位を実現し、不正行為による破壊活動を検証し得るようにしている。
請求項４の発明は、前記ロックピ−スに、前記第２の錠前に連結可能な装着部と、該装着部に作用する引張り力に変位可能な変位部とを設け、それぞれ固有の機能を持たせるとともに、不正行為の破壊活動による引張り力に合理的な対応を実現し得るようにしている
請求項５の発明は、前記扉体の閉扉時で、かつ前記第１および第２の錠前の施錠時に、前記ロックピ−スに引張り力を作用可能にし、扉体の閉扉時における不正行為に対応し得るようにしている。
【００１６】
請求項６の発明は、前記複数位置で前記引張り力に対抗させ、その支持位置に応じてロックピ−スの変位を設定し、その変位に応じて不正行為を段階的に設定して、不正行為に対する措置を合理的に行なえるようにしている。
請求項７の発明は、前記ロックピ−スの変位部を、一定の引張り力以上で前記扉体側へ変位可能にし、該変位によって扉体と枠体との隙間を形成可能にし、該隙間によって不正行為やその隠蔽ないし偽装を容易に見分けられるようにし、不正行為を容易かつ速やかに発見し得るようにしている。
請求項８の発明は、前記ロックピ−スの変位部の扉体側への変位によって、前記扉体と枠体との隙間を拡大し、または前記フック片と係止片とを係合不能にして、不正行為やその隠蔽ないし偽装を容易に見分けられ、不正行為を容易かつ速やかに発見し得るようにしている。
【００１７】
請求項９の発明は、前記ロックピ−スの装着部を、一定の引張り力以上によって、摩滅または破断可能にし、前記ロックピ−スと前記第２の錠前とを連結不能、または前記フック片と係止片とを係合不能にして、ロックピ−スの装着部が破断される程度に扉体の破壊活動が激化した際は、扉体の閉扉を不可能にして、不正行為を容易かつ確実に発見し得るようにしている。
【００１８】
請求項１０の発明は、前記ロックピ−スの第２の錠前に対する装着部と、枠体側への装着部との間に長孔を形成し、該長孔にロックピ−スを支持する係止ピンを挿入するとともに、前記長孔の前端部に前記係止ピンと係合可能な係合突起を設け、前記引張り力による係合突起の破断または摩滅によって、前記ロックピ−スの変位部を変位可能にし、係合突起の破断または摩滅を不正行為による破壊活動の段階を規定し、該段階で扉体と枠体との隙間を拡大させ、不正行為やその隠蔽ないし偽装を容易に見分けられるようにし、係合突起の破断または摩滅後は、前記ロックピ−スの変位部の変位を漸増させ、不正行為ないし破壊活動のレベルを知得し、不正行為の発見を更に容易かつ速やかに行なえるようにしている。
【００１９】
請求項１１の発明は、前記ロックピ−スの変位部を、鋼板を刳り貫いて閉合形の略ハ−ト形に形成し、その変位の形成を促すとともに、不正行為による破壊活動の程度と状況を容易に検証し得るようにしている。
請求項１２の発明は、前記枠体を挟持可能な一対のホルダ−を設け、該ホルダ−にブラケットを移動可能に連結し、該ブラケットに前記ロックピ−スを設置し、一対のホルダ−によってロックピ−スを所望の位置に容易に取り付けられ、種々の遊戯機に対応可能にしている。
【００２０】
請求項１３の発明は、前記係止ピンを突設した補強板と前記ブラケットとの間にロックピ−スを配置し、前記ブラケットに複数の凸部を上下に離間して配置し、該凸部の間に前記ロックピ−スを裕度を持って係合可能に配置するとともに、前記ロックピ−スを前記ブラケットに回動可能に枢着し、該枢軸を中心に前記ロックピ−スを上下に回動可能に配置し、第２の錠前の位置に応じてロックピ−スの位置を加減可能にし、それらの連結を円滑に行なえるようにしている。
請求項１４の発明は、前記変位部の内側に前記枢軸を配置し、変位部の変位を容易に形成可能にしている。
請求項１５の発明は、前記枠体にガイドレ−ルを上下方向に設け、該ガイドレ−ルに前記係止片を移動可能に収容し、該ガイドレ−ルをその所定位置で固定可能にし、係止片を所望の位置に容易に取り付けられ、種々の遊戯機に対応可能にしている。
【発明の効果】
【００２１】
請求項１の発明は、扉体側に前記第１の錠前の施解錠作動に連動可能な第２の錠前を設け、前記枠体側の前記第２の錠前と対応位置にロックピ−スを設け、該ロックピ−スを前記第１の錠前の施解錠作動に連係して、前記第２の錠前に着脱可能に連結したから、既用の遊技機の後付けに容易に対応できるとともに、フック片と係止片との係合解除後でも扉体の開扉を阻止し、扉体の閉扉状態を強固に防護し、その不正行為を阻止できるとともに、扉体の開閉を、第１および第２の錠前の施解錠作動に連係して、確実かつ円滑に行なうことができる。
【００２２】
請求項２の発明は、前記第２の錠前に前記ロックピ−スの一端部を連結可能なロックプレ−トを設け、該ロックプレ−トを前記第１の錠前の施解錠作動に連係して連結作動可能にしたから、第１および第２の錠前の施解錠作動の連係を実現することができる。
請求項３の発明は、前記ロックピ−スを、前記扉体側に複数位置で支持したから、ロックピ−スの支持の安定化を図れるとともに、ロックピ−スの段階的な変位を実現し、不正行為を段階的に阻止し、それらの破壊活動を検証することができる。
【００２３】
請求項４の発明は、前記ロックピ−スに、前記第２の錠前に連結可能な装着部と、該装着部に作用する引張り力に変位可能な変位部とを設けたから、各部に固有の機能を持たせ、不正行為の破壊活動による引張り力に合理的な対応を実現することができる。
請求項５の発明は、前記扉体の閉扉時で、かつ前記第１および第２の錠前の施錠時に、前記ロックピ−スに引張り力を作用可能にしたから、扉体の閉扉時における不正行為に対応することができる。
【００２４】
請求項６の発明は、前記複数位置で前記引張り力に対抗させ、その支持位置に応じてロックピ−スの変位を設定したから、その変位に応じて不正行為を段階的に設定し、不正行為に対する措置を合理的に行なうことができる。
請求項７の発明は、前記ロックピ−スの変位部を、一定の引張り力以上で前記扉体側へ変位可能にし、該変位によって扉体と枠体との隙間を形成可能にしたから、該隙間によって不正行為を受けた遊戯機を容易に見分けられ、不正行為やその隠蔽ないし偽装を容易かつ速やかに発見することができる。
【００２５】
請求項８の発明は、前記ロックピ−スの変位部の扉体側への変位によって、前記扉体と枠体との隙間を拡大し、または前記フック片と係止片とを係合不能にしたから、不正行為を受けた遊戯機を容易に見分けられ、不正行為やその隠蔽ないし偽装を容易かつ速やかに発見することができる。
請求項９の発明は、前記ロックピ−スの装着部を、一定の引張り力以上によって、摩滅または破断可能にし、前記ロックピ−スと前記第２の錠前とを連結不能、または前記フック片と係止片とを係合不能にしたから、ロックピ−スの装着部が破断される程度に扉体の破壊活動が激化した際、扉体の閉扉を不可能にして、不正行為を容易かつ確実に発見することができる。
【００２６】
請求項１０の発明は、前記ロックピ−スの第２の錠前に対する装着部と、枠体側への装着部との間に長孔を形成し、該長孔にロックピ−スを支持する係止ピンを挿入するとともに、前記長孔の前端部に前記係止ピンと係合可能な係合突起を設け、前記引張り力による係合突起の破断または摩滅によって、前記ロックピ−スの変位部を変位可能にしたから、係合突起の破断または摩滅を不正行為による破壊活動の段階を規定し、該段階で扉体と枠体との隙間を拡大させ、不正行為を受けた遊戯機を容易に見分けられるとともに、係合突起の破断または摩滅後は、前記ロックピ−スの変位部の変位を漸増させ、不正行為ないし破壊活動の程度を知得し、不正行為の発見を更に容易かつ速やかに行なうことができる。
【００２７】
請求項１１の発明は、前記ロックピ−スの変位部を、鋼板を刳り貫いて閉合形の略ハ−ト形に形成したから、その変位の形成を促すとともに、不正行為による破壊活動の程度と状況を容易に検証することができる。
請求項１２の発明は、前記枠体を挟持可能な一対のホルダ−を設け、該ホルダ−にブラケットを移動可能に連結し、該ブラケットに前記ロックピ−スを設置したから、一対のホルダ−によって、ロックピ−スを所望の位置に容易に取り付けられ、種々の遊戯機に対応することができる。
【００２８】
請求項１３の発明は、前記係止ピンを突設した補強板と前記ブラケットとの間にロックピ−スを配置し、前記ブラケットに複数の凸部を上下に離間して配置し、該凸部の間に前記ロックピ−スを裕度を持って係合可能に配置するとともに、前記ロックピ−スを前記ブラケットに回動可能に枢着し、該枢軸を中心に前記ロックピ−スを上下に回動可能に配置したから、第２の錠前の位置に応じてロックピ−スの位置を加減でき、それらの連結を円滑に行なうことができる。
【００２９】
請求項１４の発明は、前記変位部の内側に前記枢軸を配置したから、変位部の変位を容易に形成することができ、不正行為を容易かつ速やかに発見することができる。
請求項１５の発明は、前記枠体にガイドレ−ルを上下方向に設け、該ガイドレ−ルに前記係止片を移動可能に収容し、該ガイドレ−ルの所定位置で前記係止片を固定可能にしたから、係止片を所望の位置に容易に取り付けられ、種々の遊戯機に対応することができる
【発明を実施するための最良の形態】
【００３０】
以下、本発明を遊技機としてパチンコ機に適用した図示の実施形態について説明すると、図１乃至図１２において１,２はパチンコホ−ル等の屋内遊技室の所定位置に設けた、島を構成する上下一対の木製の固定枠で、該固定枠１,２の間にパチンコ機３を構成する枠体である外枠４が複数並設して設置されている。
【００３１】
前記外枠４は実施形態の場合、木製の上下枠５,６と、木製の左右の側枠７,８とを縦長矩形に枠組みして構成され、このうち前記枠体を構成する側枠８の戸当り側内面に段状の凹部８ａが形成され、該凹部８ａに後述するロックリンクと第２の錠前を配置可能にしている。
前記側枠８の内面の上下位置に、係止片である略Ｌ字形断面の係止金具９,１０が取り付けられ、その下側の係止金具１０の直上に後述するロックピ−スが取り付けられている
【００３２】
前記外枠４に、パチンコ機３の扉体である前扉１１の一側端部が、蝶番（図示略）を介して回動可能に取り付けられ、その他側端部の裏面にロックリンク１２が上下方向に配置され、前記前扉１１の裏面と側枠８の戸当り側端面との間に、若干の隙間Ｃ１が形成されている。
図中、Ｃ２（Ｃ１＜Ｃ２）は前扉１１が不正行為を受けて破壊され、後述のロックピ−スが変形した際の前扉１１の裏面と側枠８の戸当り側端面との間の隙間である。
【００３３】
前記ロックリンク１２は、鋼板を略Ｌ字形断面に屈曲して形成され、その一方の屈曲片１２ａを前扉１１の裏面にビス止めし、その他方の屈曲片１２ｂの内面に、鋼板製の細長のスライドリンク１３を上下に摺動可能に装着している。
【００３４】
前記スライドリンク１３の上端部と中間部に、略Ｌ字形断面の同様なスライダ−１４,１５が上下に摺動可能に装着され、それらの各屈曲片に長孔１６,１７、１８,１９が形成されている。
前記一方の長孔１６,１７に、屈曲片１２ａに突設した係止ピン２０,２１が挿入され、また他方の長孔１７,１９にスライドリンク１３に突設した係止ピン２２,２３が挿入され、これらでスライドリンク１３とスライダ−１４,１５の上下動位置を規制している。
【００３５】
前記屈曲片１２ａの上端部と、スライダ−１４との間にスプリング２４が掛け渡され、また前記屈曲片１２ａの中間部と、スライダ−１５との間にスプリング２５が掛け渡され、該スプリング２４,２５の弾性を介して、スライダ−１４,１５を上方へ付勢し、常時はその上動位置を保持させている。
【００３６】
前記スライドリンク１３の上下端部に、フック片２６,２７が上下に摺動可能に装着され、該フック片２６,２７は鋼板を略Ｌ字形状に形成し、その先端に尖端形状のフック２６ａ,２７ａを形成していて、そのフック２６ａ,２７ａを前記係止金具９,１０に係合可能にしている。
前記フック片２６,２７と屈曲片１２ａの上下端部に、スプリング２８,２９が掛け渡され、該スプリング２８,２９の弾性を介して、フック片２６,２７を下方へ付勢し、常時は屈曲片１２ｂの端縁を折曲した係止溝３０,３１に係合させている。
【００３７】
図中、３２,３３はフック片２６,２７の基部に突設した係止ピンで、スライドリンク１３と屈曲片１２ｂに形成した長孔３４,３５に係入している。３６はスライドリンク１３の中間部に突設した非常解錠用摘みで、その押し上げ操作時にフック片２６,２７を上動可能にし、前記係止金具９,１０との係合を解除可能にしている。
【００３８】
前記屈曲片１２ａの下端部に異形の錠取付孔３７が形成され、該孔３７の内側に形成した取付ステ−（図示略）に、施錠装置３８を構成する第１の錠前であるシンリダ−錠３９が、錠フランジ４０を介して後述する第２の錠前の外殻である錠本体４１と共締めされている。
図中、４２は前記取付ステ−にねじ込んだ共締め用のビス、４３は前記シンリダ−錠３９に形成した鍵孔で、該鍵孔４３に解錠用のキ−４４を差し込み可能にしている。
【００３９】
前記施錠装置３８は係止金具１０の直上に設けられ、該施錠装置３８は第１の錠前である亜鉛ダイカスト製のシンリダ−錠３９と、該シンリダ−錠３９に連係する第２の錠前４５と、該第２の錠前４５に着脱可能に連結したロックピ−ス４６を備えている。
このうち、前記シンリダ−錠３９の後端面に錠軸４７が突出され、該錠軸４７はシンリダ−錠３９に内蔵したシンリダ−（図示略）と同期回動可能に設けられ、該錠軸４７の先端部に角軸４８が形成されている。
【００４０】
前記角軸４８にロックカム４９の角孔５０が嵌合して取り付けられ、該カム４９の周面に二つの係合爪５１,５２が突設され、このうち一方の係合爪５２が、スライドリンク１３の下端部に形成した係合孔５３に係合可能に配置されている。
そして、前記キ−４４によるシンリダ−錠３９の解錠時に、スライドリンク１３を押し上げ、これにフック片２６,２７を同動させて、フック２６ａ,２７ａと前記係止金具９,１０との係合を解除し、前扉１１を開放可能にしている。
【００４１】
前記ロックカム４９の表面に位置決めピン５４が突設され、該ピン５４を介してロックピン５５が所定位置に配置されている。前記ロックピン５５に角軸５６が突設され、該角軸５６が錠本体４１の通孔５７に挿入されている。
前記錠本体４１は第２の錠前４５の外殻を構成し、これは亜鉛ダイカストによって前記錠フランジ４０の平面形状と略同形の肉厚の板体に成形され、その一側に錠フランジ４０の端面に接合可能な脚５８,５８を突設している。
【００４２】
前記脚５８,５８は錠フランジ４０に形成したビス孔５９,５９と同ピッチに形成され、該脚５８にビス孔６０が形成されていて、これらのビス孔５９,６０にビス４２,４２を挿入可能にしている。
前記錠本体４１の他側面の中央に略矩形の凹部６１が形成され、該凹部６１は周囲を周壁６２で囲繞され、その長辺側の周壁６２の中間部に、一対の透孔または凹部（図示略）が形成され、この反対側に細長矩形の開口部６３が形成されていて、該周壁６２の間に一対のロックプレ−ト６４が揺動可能に取り付けられている。
【００４３】
前記ロックプレ−ト６４は鋼板を打ち抜いて角形に形成され、その基部側の突起６４ａを前記透孔（図示略）に差し込み、その他端のグリップ部６４ｂを前記開口部６３に臨ませて配置し、このグリップ部６４ｂの内側をエッヂ状に形成していて、シンリダ−錠３９の施錠時、前記グリップ部６４ｂ, ６４ｂの間にロックピ−ス４６の頸部を挟持可能にしている。
【００４４】
前記ロックプレ−ト６４,６４は通孔５７を挟んで対称に配置され、その中間部の外面と周壁６２との間にスプリング６５が介挿され、該スプリング６５の弾性を介して、ロックプレ−ト６４,６４を前記突起６４ａを支点に内側へ回動可能に付勢している。
【００４５】
前記ロックプレ−ト６４,６４の間にロックピン５５の角軸５６が係合可能に配置され、該角軸５６の回動角度によって、ロックプレ−ト６４,６４を互いに近接離反回動可能にしている。
すなわち、シンリダ−錠３９の施錠時には、図１０のようにロックプレ−ト６４,６４が角軸５６の平行端面に係合して互いに平行に配置され、そのグリップ部６４ｂ, ６４ｂの間隔を狭小に形成して、ロックピ−ス４６の頸部７８を挟持し、第２の錠前４５を施錠して、前扉１１を閉扉可能にしている。
【００４６】
一方、シンリダ−錠３９の解錠時には、図１１のように角軸５６が所定角度回動して、ロックプレ−ト６４,６４がスプリング６５の弾性に抗して外側へ拡開回動し、グリップ部６４ｂ, ６４ｂの間隔を拡開して、ロックピ−ス４６の頸部７８の挟持を解除し、第２の錠前４５を解錠して、該ピ−ス４６を引き抜き可能にし前扉１１を開放可能にしている
【００４７】
図中、６６はロックプレ−ト６４の基部側内面に突設した係止突起で、ロックプレ−ト６４の内側への回動角度を規制可能にしており、６７は前記スプリング６５を収容可能な浅底のバネ受溝、６８は凹部６１の略四隅に突設したカシメ用のガイドピンである。
６９は前記凹部６１を閉塞可能な鋼板製の略矩形のカバ−で、その四隅にガイドピン６８を挿入可能な通孔７０が形成され、これにガイドピン６８に挿入後、該ピン６８をカシメてカバ−６９をカシメ連結可能にしている。
【００４８】
７１は前記カバ−６９の一側に形成した切欠孔で、前記開口部６３と略同形に形成されている。７２は前記カバ−６９の中央に形成したビス孔で、その外側からビス７３を挿入可能にしており、該ビス７３を通孔５７に挿入し、これをロックピン５５に形成した貫通孔７４に挿通して、錠軸４７のネジ孔７５にねじ込み可能にしている。
【００４９】
一方、前記ロックピ−ス４６は第２の錠前４５のデッドボルトに相当し、これは鋼板を打ち抜き、かつその一部を折り曲げて成形され、その一側に前記錠本体４１に装着可能なフック片７６を形成し、他側に変位部である変位片７７を形成し、該変位部７７を後述のブラケットを介して側枠８に装着可能にしている。
【００５０】
このうち、前記フック片７６の先端部は、前記切欠孔７１と開口部６３に挿入可能な略屋根形に形成され、その内側に幅員を若干縮径した頸部７８が形成され、該頸部７８を前記グリップ部６４ｂ, ６４ｂの間に挟持可能にされている。
図中、７９は頸部７８に隣接して形成した係止突起で、前記カバ−６９に係合可能に配置されている。
【００５１】
前記変位片７７は、細幅の鋼板で略ハ−ト形の閉合形に形成され、その内側に環状の装着部８０を離間して設け、該装着部８０にＯリング等の弾性リング８１を介して、枢軸であるボルト等の螺軸８２を挿入し、該螺軸８２を側枠８に取り付けたブラケット８３のネジ孔にねじ込み、そのねじ込み後、螺軸端部を圧潰して抜け止め処理されている。
前記変位片７７は、前扉１１が不正行為によって破壊力を受け、フック片７６が前扉１１側へ引張られた際、同方向へ伸長し変形可能にされている。
【００５２】
一方、第１および第２のフック片７６,７７は連結片８４で接続され、該連結片８４の内側に軸方向に沿って長孔８５が形成され、該長孔８５の一側端部に係合突起８６が対向して形成されている。
前記長孔８５の長さは、遊技機が不正行為により破壊力を受ける際の変位片７７の伸長変位に略相当し、該変位によってフック２６,２７と係止金具９,１０との係合を実質的に不可能にし、前扉１１の閉扉を不可能にしている。
【００５３】
前記ロックピ−ス４６の表面に補強板８７が配置され、該補強板８７の一端部に前記螺軸８２を挿入可能な通孔８８が形成され、この他端部に前記長孔８５に挿入可能な係止ピン８９が突設されていて、該ピン８９を前記係合突起８６に係合可能に配置されている。したがって、ロックピ−ス４６は補強板８７とブラケット８３の間に配置されている。
【００５４】
そして、前扉１１が不正操作を受け、フック片７６が前扉１１側へ引張られ、その引張力が係合突起８６による係合力の規定値を超えた際、係合突起８６の尖端部を破壊し、変位片７７を前記引張り方向へ伸長し変形可能にしている。
実施形態では、係合突起８６の係合力の規定値として、腕力による最大破壊力に設定している。
【００５５】
前記ブラケット８３の直上位置に第１ホルダ−９０と第２ホルダ−９１とが配置され、これらのホルダ−９０,９１を側枠８の所望位置に固定し、該第２ホルダ−９１に前記ブラケット８３を連結して、前記ロックピ−ス４６をシンリダ−錠３９の位置に応じて、取り付け位置調節可能にしている。
前記第１ホルダ−９０は鋼板を略Ｌ字形断面に折曲した一対の掛止片９２を備え、該掛止片９２,９２を側枠８の内端面の所望位置に掛け止め可能にしている。
前記掛止片９２,９２の間に略逆Ｌ字形状の屈曲片９３を形成し、該屈曲片９３の先端部にビス９４を挿入可能なビス孔９５を形成している。
【００５６】
前記第２ホルダ−９１は鋼板を内側に折曲した掛止片９６を備え、該掛止片９６を側枠８の外端面の所望位置に掛け止め可能にしており、該掛止片９６の他側端部に略Ｌ字形断面の連結片９７を形成している。
前記連結片９７の端面に通孔が形成され、該通孔の内側口縁部がバ−リング加工され、該バ−リング加工部９８の内面にネジ９部９が形成され、該ネジ部９９に前記ビス９４がねじ込まれている。
そして、前記ビス９４をねじ込んで第１および第２ホルダ−９０,９１を連結し、前記掛止片９２と掛止片９６を介して、側枠８の内外端面を挟持可能にしている。
【００５７】
前記第２ホルダ−９１にバネ受１００が切り起し形成され、その下端部に二つの透孔１０１が形成され、該透孔１０１上に前記ブラケット８３の上端部が重合して配置されている。
前記ブラケット８３の上端部に二つの長孔１０２が上下方向に形成され、該長孔１０２と透孔１０１にピン１０３が挿入されてカシメられ、前記ブラケット８３を長孔１０２の長さの範囲内で上下に位置調節可能に連結している。
【００５８】
実施形態では、前記ブラケット８３の最上位置におけるロックピ−ス４６ないしそのフック片７６の高さ位置を、前扉１１の閉扉時、つまり前扉１１の下端面が下枠６に突設した凸状片６ａを乗り上げて閉扉した際の、前記錠本体４１の切欠孔７１ないし開口部６３の高さに設定している。
したがって、前扉１１が経時的に沈下し凸状片６ａが磨耗した場合であっても、フック片７６と切欠孔７１ないし開口部６３の高さを調整でき、ロックピ−ス４６の確実かつ円滑な作動を確保し得るようにしている。
【００５９】
前記ブラケット８３の上端部に、半円筒状にカ−リング成形した軸筒部１０４が設けられ、該軸筒部１０４にスプリング１０５が収容され、該スプリング１０５の上端部が前記バネ受１００に当接していて、該スプリング１０５の弾性を介してブラケット８３を下方へ付勢している。
【００６０】
前記ブラケット８３の下側半部は、前記ロックピ−ス４６の裏面を重合可能な平坦面に形成され、該平坦面に前記螺軸８２をねじ込み可能なネジ孔１０６が形成され、また前記平坦面の外側端部に二つの凸部１０７が設けられ、該凸部１０７,１０７の間に前記連結８７を係合可能に収容している。
【００６１】
したがって、前記ロックピ−ス４６は、螺軸８２を中心に凸部１０７,１０７の範囲内で、上下に回動可能に装着されているから、前記ブラケット８３の上下位置調節に加えて、切欠孔７１との高さ位置調節を複合的かつ多様に行なえる。
【００６２】
このように構成した本発明の遊技機等の施錠装置は、従来の係止金具１０,１１、ロックリンク１２、スライドリンク１３、フック片２６,２７、第１の錠前であるシンリダ−錠３９と、その錠軸４７の構成を利用し、前記シンリダ−錠３９に第２の錠前４５を組み付け、該錠前４５にロックピ−ス４６を着脱可能に装着している。したがって、本発明は既設のパチンコ機に対する後付けが可能である。
【００６３】
前記第２の錠前４５は、その錠本体４１を亜鉛ダイカストで成形し、該錠本体４１に組み込むロックカム４９と、ロックピン５５と、ロックプレ−ト６４と、カバ−６９を、鋼板をプレス成形して製作し、ロックピン５５をヘッダ加工する。
また、前記ロックピ−ス４６と、ブラケット８３、補強板８７、第１および第２ホルダ−９０,９１を、鋼板をプレス成形して製作する。
【００６４】
次に、前記シンリダ−錠３９に第２の錠前４５を組み付ける場合は、予め第２の錠前４５にロックプレ−ト６４を組み込み、該第２の錠前４５をシンリダ−錠３９と一緒にロックリンク１２に組み付ける。
先ず、第２の錠前４５にロックプレ−ト６４を組み込む場合は、錠本体４１に設けた凹孔６１に一対のロックプレ−ト６４を対向配置し、その基部側の突起６４ａを周壁６２に設けた一対の透孔（図示略）に差し込んで取り付ける。
【００６５】
そして、前記ロックプレ−ト６４のグリップ部６４ｂを開口部６３上に位置付け、ロックプレ−ト６４の外周部と周壁６２との間にスプリング６５を介挿して、該スプリング６５の弾性を介し、前記ロックプレ−ト６４を内側へ回動可能に付勢する。
この後、凹孔６１にカバ−６９を装着して閉塞し、該カバ−６９の通孔７０をガイドピン６８に挿入し、該ピン６８の先端部をカシメて、カバ−６９を錠本体４１にカシメ連結する。この状況は図５のようである。
【００６６】
こうして、第２の錠前４５にロックプレ−ト６４を組み込み後、シンリダ−錠３９とロックリンク１２を用意し、錠フランジ４０をロックリンク１２の錠取付孔３７の内側に位置付け、錠軸４７の角軸４８にロックカム４９の角穴５０を嵌合する。
【００６７】
そして、ロックカム４９の表面に突設した位置決めピン５４に、ロックピン５５の凹部（図示略）を差し込み、その角軸５６を錠本体４１の通孔５７に挿入し、これをロックプレ−ト６４,６４の間に係入する。この状況は図１０のようである。
【００６８】
その際、ロックプレ−ト６４,６４をスプリング６５の弾性に抗して拡開し、その間に角軸５６を挿入して、カバ−６９のビス孔７２にビス７３を挿入する。
そして、ビス７３をロックピン５５の通孔７４に挿通し、錠軸４７のネジ孔７５にねじ込んで、第２の錠前４５とシンリダ−錠３９とをロックリンク１２に固定後、前記ロックリンク１２のアセンブリを前扉１１の側端部の裏面に取り付ける。
【００６９】
一方、前扉１１に取り付けたロックリンク１２のフック片２６,２７と、第２の錠前４５の位置に対応して、側枠８の内面の対応位置に、係止片９,１０とロックピ−ス４６を取り付ける。
実施形態では側枠８の内面の上下位置に係止片９,１０を取り付け、下側の係止片１０の直上位置にロックピ−ス４６を取り付けている。この状況は図２のようである。
【００７０】
前記ロックピ−ス４６の取り付けに際しては、該ロックピ−ス４６を取り付けるブラケット８３を側枠８の所定位置に配置し、該ブラケット８３を連結する第２ホルダ−９１と、該ホルダ−９１を連結する第１ホルダ−９０とを、側枠８の所定位置に固定する。
その際、前記第２ホルダ−９１の下端部に、予めブラケット８３を連結して置き、該ブラケット８３にロックピ−ス４６を取り付けて置く。
【００７１】
先ず、第２ホルダ−９１にブラケット８３を連結する場合は、前記第２ホルダ−９１の下端部にブラケット８３の上端部を重合し、その長孔１０２と透孔１０１にピン１０３を挿入し、その軸端をカシメて、第２ホルダ−９１とブラケット８３を、長孔１０２に沿って移動可能に連結する。
次に、軸筒部１０４内にスプリング１０５を収容し、その上端部をバネ受１００に当接し、該スプリング１０５の弾性を介してブラケット８３を下方へ付勢させる。
【００７２】
前記ブラケット８３の連結と前後して、該ブラケット８３上にロックピ−ス４６を重合し、該ロックピ−ス４６の連結片８７を凸部１０７,１０７の間に配置する。
そして、前記ロックピ−ス４６上に補強板８７を重合し、その裏面に突設した係止ピン８９を長孔８５の端部に挿入し、該ピン８９を係止突起８６,８６に係合する。
この後、補強板８７の通孔８８にＯリング８１を介して螺軸８２を挿入し、該螺軸８２をロックピ−ス４６の装着部８０を挿通して、ブラケット８３のネジ孔１０６にねじ込み、その螺軸端を圧潰して抜け止め処理する。
【００７３】
こうして、ロックピ−ス４６とブラケット８３を取り付けた第２ホルダ−９０と、第１ホルダ−９０を側枠８に固定する場合は、それらを側枠８の内面の内外位置に配置し、掛止片９２,９２を側枠８の内側端面に掛け止め、掛止片９６を側枠８の段部８ａの端面に掛け止める。
そして、ビス９４をビス孔９５に挿入し、これを連結片９７のネジ部９９にねじ込んで緊締する。この状況は図２および図４のようである。
【００７４】
このように第２の錠前４５は、第１の錠前であるシリンダ−錠３９の後端部、すなわち前扉１１の裏面側に取り付け、前扉１１の開閉に伴なう前記第２の錠前４５の回動域に臨ませて、ロックピ−ス４６を取り付け、そのフック片７６を側枠８の段部８ａに臨ませて配置している。
したがって、シリンダ−錠３９や係止金具９,１０の取り付け位置が区々な種々の遊技機の取り付けに容易に応じられる。
【００７５】
このような遊戯機等の施錠装置３８は、遊戯時には前扉１１が閉扉され、第１および第２の錠前３８,４５が施錠される。
前記第１の錠前であるシリンダ−錠３９は、キ−４４操作によって解錠され、第２の錠前４５はシリンダ−錠３９の解錠作動に連係して解錠され、ロックピ−ス４６は第２の錠前４５のデッドボルトに相当する。
したがって、前扉１１は第１および第２の錠前３８,４５と、シリンダ−錠３９に連係するロックリンク１２によって、三重に防御されている。
【００７６】
すなわち、前扉１１が閉扉され、シリンダ−錠３９がキ−４４の操作で施錠されると、ロックリンク１２に設けたフック片２６,２７のフック２６ａ,２７ａが、側枠８に取り付けた係止金具９,１０の上端縁を滑動して係合し、これがスプリング２８,２９により下方へ引かれて強固に係合し、前扉１１の閉扉状態を保持する。
【００７７】
一方、前記前扉１１の閉扉時に、第２の錠前４５の切欠孔７１と開口部６３に、ロックピ−ス４６のフック片７６が差し込まれ、閉扉後、シリンダ−錠３９が施錠されると、内部のシリンダ−（図示略）が回動し、該シリンダ−に錠軸４７が同動して、錠軸４７に係合したロックカム４９が回動し、これに角軸５６が同動する。
【００７８】
その際、第２の錠前４５の内部では、一対のロックプレ−ト６４が突起６４ａを支点に内側へ回動し、それらが角軸５６の両側面に係合し、そのグリップ６４ｂ, ６４ｂの間にロックピ−ス４６の頸部７８が挟持される。この状況は図８および図１０のようである。
【００７９】
このような前扉１１の閉扉時には、前扉１１の裏面と側枠８の前端面との間に若干の隙間Ｃ１が存在し、該隙間Ｃ１に薄厚の不正工具（図示略）を差し入れ、スライドリンク１３を押し上げてフック片２６,２７を上動し、係止金具９,１０との係合を解除する、不正行為を受ける惧れがある。
【００８０】
このような不正行為は従来多発し、これによって前扉１１が開放可能になったが、本発明は前述のように、第２の錠前４５にロックピ−ス４６が連結され、該ロックピ−ス４６が側枠８に装着されているから、前記不正行為では前扉１１は開放されない。
【００８１】
そこで、前記従来の不正行為に加えて、薄厚の不正工具を側枠８の前端面を支点に揺動し、前扉１１をこじ開ける複合的な不正行為ないし破壊を受ける事態が考えられる。
このような複合的な不正行為を受けると、前扉１１が正面前方、すなわち図８の矢視方向へ変位し、これに前扉１１に取り付けたシリンダ−錠３９と、該シリンダ−錠３９に連結した第２の錠前４５とが同動する。
一方、ロックプレ−ト６４のグリップ６４ｂ, ６４ｂに挟持されたロックピ−ス４６は、ブラケット８３を介して側枠８に固定されているため、前記ロックピ−ス４６が前扉１１の変位相当分の引張り力を受ける。
【００８２】
すなわち、前記ロックピ−ス４６はフック片７６で前記引張り力を受け、これを側枠８側で係止ピン８９と軸部８２とで支持する。このうち、前記引張り力は、当初は係合突起８６を介して、第２の錠前４５寄りに位置する係止ピン８９に作用し、その係合力によって係合突起８６が剪断力を受ける。
【００８３】
そして、前扉１１に対する不正行為が次第に強大になり、ロックピ−ス４６に作用する引張り力が増加して、前記係合突起８６の剪断力が該突起８６の材質の許容剪断力を越えると、係合突起８６の尖端部が破断する。
【００８４】
このため、係止ピン８９と係合突起８６との係合が解除され、係止ピン８９が係合突起８６を乗り越え、長孔８５の他端側へ移動する。実施形態では、係合突起８６の破断強さとして、人力で負荷可能な平均ないし最大剪断力に設定している。
【００８５】
こうして、係合突起８６の尖端部が破断すると、前記引張り力に対する係止ピン８９の支持機能が失われ、ロックピ−ス４６の引張り力が軸部８２に作用し、前記引張り力によってフック片７６と軸部８２との間が引張り力を受ける。
そして、前扉１１に対し不正行為による破壊力が更に激化し、前記前扉１１に前記剪断力以上の引張り力が作用すると、変位片７７がその弾性、つまり引張り強度に抗して変形し、前扉１１が更にこじ開けられる。
【００８６】
この結果、変位片７７が軸部８２を基点に前方へ伸長し、その伸長分、係止ピン８９が長孔８５に沿って後方へ移動する。
この後、不正行為が更に続行され、引張り力が増大すると、変位片７７が更に伸長し、その伸長分、係止ピン８９が長孔８５に沿って後方へ移動し、係止ピン８９が長孔８５の後端部に係合したところで、変位片７７の変形が停止する。
この状況は図１２のようで、前扉１１の裏面と側枠８の前端面との間の隙間Ｃ２が拡大して形成される。
【００８７】
このような状況で前記不正行為が中断されると、前扉１１は開放されないから、遊技機の内部が実質的に不正操作される惧れは少ない。
この場合、前記隙間Ｃ２によって前扉１１が前方へ突出しているから、不正行為を受けない他の遊技機と比較して、不正行為の形跡ないし事実を容易に見分けられ、前記不正行為途中の遊技機を容易に発見でき、その修理や遊技機の交換に速やかに対応できる。
【００８８】
一方、前記不正行為が更に続行されると、グリップ６４ｂと係合するロックピ−ス４６の前端部が破断ないしテ−パ状に削られ、その前端部がグリップ６４ｂ, ６４ｂの間から抜け出て、第２の錠前４５から離脱する。
この場合、前述のようにフック片２６,２７と係止金具９,１０との係合が既に解除されていれば、事実上、キ−４４操作を要することなく前扉１１を開放でき、遊技機内部の不正操作が可能になる。
【００８９】
しかし、ロックピ−ス４６のフック片７６が第２の錠前４５から離脱しても、ロックピ−ス４６は螺軸８２を介してブラケット８３に固定され、かつその連結片８４は凸部１０７,１０７間に位置して、フック片７６を前扉１１側へ突出した伸長状態を維持している
また、第２の錠前４５は依然として施錠状態に置かれ、ロックプレ−ト６４のグリップ６４ｂ, ６４ｂの間隔は狭小状態に置かれているから、前扉１１を強制的に閉鎖し、不正操作の形跡を隠蔽し偽装しようとしても、フック片７６はグリップ６４ｂ, ６４ｂの間に係入できず、第２の錠前４５との連結が不可能になって前扉１１を閉扉できない。
したがって、前記不正操作の形跡や事実を容易に発見でき、その後の対応を速やかに行なえる。
【００９０】
なお、仮に前扉１１を勢い良く閉め、或いは前扉１１を強力に閉めて、フック片７６をグリップ６４ｂ, ６４ｂの間に押し込み、ロックピ−ス４６を第２の錠前４５に連結し得たとしても、ロックピ−ス４６の伸長によって前扉１１の裏面と側枠８の端面との間には、長孔８５の長さ以上の隙間Ｃ２が形成されている。
【００９１】
したがって、フック２６,２７と係止金具９,１０との係合は不可能であるから、前扉１１を閉扉して不正操作を偽装することもできず、前扉１１が隙間Ｃ２分前方へ突出して、不正行為を受けない他の遊技機と容易に見分けられるから、前記不正操作された遊技機を容易に発見できる。
【００９２】
一方、不正操作されない遊戯機の前扉１１を正常に開放する場合は、キ−４４をシリンダ−錠３９のキ−孔４３に差し込み、これを解錠方向に回動して、内部のシリンダ−（図示略）を回動し、該シリンダ−に錠軸４７を同動させて、ロックカム４９を回動する。
そして、ロックカム４９の一方の係合爪５２を、スライドリンク１３の下端部に形成した係合孔５３に係合し、スライドリンク１３を押し上げて、これにフック片２６,２７を同動させ、フック２６ａ,２７ａと前記係止金具９,１０との係合を解除すれば、前扉１１が開放可能になる。
【００９３】
前記ロックカム４９を解錠方向に回動すると、これにロックピン５５が同動し、その角軸５６が両側のロックプレ−ト６４,６４を押し開き、該プレ−ト６４,６４をスプリング６５に抗して互いに外側へ同動させ、グリップ６４ｂ, ６４ｂをロックピ−ス４６の頸部７８から離間させる。この状況は図１１のようである。
こうしてロックピ−ス４６と第２の錠前４５との連結を実質的に解除することで、第２の錠前４５が解錠され、この後、前扉１１を外側へ引き回せば、前扉１が開放される。
【００９４】
一方、前記開放した前扉１１を閉扉し、これを施錠する場合は、シリンダ−錠３９にキ−４４を差し込んで解錠操作し、前述のようにフック２６,２７と前記係止金具９,１０との係合を解除するとともに、第２の錠前４５を解錠してロックプレ−ト６４,６４を拡開する。
【００９５】
このような状況を維持して前扉１１を閉回動し、その下端部を凸部６ａに乗り上げて前扉１１を押し上げる。
このようにすると、大重量の前扉１１の沈下を修正し、前扉１１に取り付けた第２の錠前４５と、側枠８側のロックピ−ス４６の位置を調整し、それらの円滑な連結と動作を実現する。
その際、ロックピ−ス４６は凸部１０７,１０７と連結片８７との量感の範囲で、螺軸８２を中心に上下に回動し得るから、前記位置調整を円滑に行なえる。
【００９６】
こうして、前扉１１を閉回動すると、第２の錠前４５がロックピ−ス４６に接近し、そのフック片７６がカバ−６９に設けた切欠孔７１に差し込まれ、これが前記拡開したロックプレ−ト６４,６４のグリップ部６４ｂ,６４ｂの間に移動したところで、キ−４４を施錠操作し、シリンダ−錠３９を施錠する。
【００９７】
このようにすると、シリンダ−錠３９内のシリンダ−が回動し、該シリンダ−に錠軸４７が同動し、これにロックカム４９が同動する。
このため、ロックカム４９の係合爪５２と、スライドリンク１３の係合孔５３との係合が解除され、前記スライドリンク１３がスプリング２８,２９に引かれて下動し、フック２６,２７が係止金具９,１０に係合して、前扉１１の閉扉状態を保持する。
【００９８】
また、前記ロックカム４９の回動によってロックピン５５が同動し、これに角軸５６が同動してロックプレ−ト６４,６４が互いに内側へ回動し、そのグリップ部６４ｂ,６４ｂの間にロックピ−ス４６のフック片７６の頸部７８を挟持する。すなわち、第２の錠前４５にロックピ−ス４６が連結され、該錠前４５が施錠される。
したがって、前扉１１は、この後、シリンダ−錠３９と、ロックリンク１２と、第２の錠前４５と、ロックピ−ス４６の連係によって、強力に防御される。
【００９９】
図１３乃至図１６は本発明の第２の実施形態を示し、前述の実施形態と対応する構成部に同一の符号を用いている。
すなわち、この実施形態では外枠４を木製の代わりにアルミニウム製とし、その上下枠５,６と左右の側枠７,８を、押し出し成形したアルミニウム枠で製作し、これらを縦長矩形に枠組みし、その隅角部をコ−ナ金具１１０で連結している。
【０１００】
このうち、一方の側枠８の内面に、略Ｃ字形断面の中空のガイドレ−ル１１１を上下方向に突出成形し、該レ−ル１１１に沿って係止金具９,１０を摺動可能に装着し、その所定位置で係止金具９,１０を固定可能にしている。
図中、１１２はガイドレ−ル１１１の内側端面に開口形成したガイド溝で、該溝１１２に連結金具１１３が摺動可能に係合している。
【０１０１】
前記係止金具９,１０の主要部は略Ｌ字形断面に形成され、その一端に前記フック２６,２７と係合可能な係止片９ａ,１０ａを内側に屈曲形成し、その両側に係合片１１４を外側に屈曲形成し、該係合片１１４をガイドレ−ル１１１の側端面に係合可能に配置している。図中、１１５は係止金具９,１０に形成したビス孔である。
【０１０２】
前記連結金具１１３の両側に脚片１１６が屈曲形成され、該脚片１１６がガイドレ−ル１１１の内部に移動可能に配置され、また連結金具１１３の所定位置にバ−リング加工部１１７が形成され、該バ−リング加工部１１７に形成したネジ部にビス１１８がねじ込まれている。
【０１０３】
この実施形態によって係止金具９,１０を取り付ける場合は、ガイドレ−ル１１１の外側に係止金具９,１０を配置し、またガイドレ−ル１１１の内部に連結金具１１３と脚片１１６を配置し、それらのビス孔１１５とバ−リング加工部１１７の位置を合わせ、それらにビス１１８をねじ込み、これを緊締して係止金具９,１０を所望位置に取り付けている。
【産業上の利用可能性】
【０１０４】
このように本発明の遊技機等の施錠装置は、防御能力を強化し、不正行為やその隠蔽ないし偽装を容易かつ速やかに発見できるとともに、不正行為に伴なう強力な破壊力に対抗でき、しかも既設の遊技機の後付けに対応できるようにしたから、例えばパチンコ機やスロットマシンの前扉の施錠装置に好適である。
【図面の簡単な説明】
【０１０５】
【図１】本発明を適用したパチンコ機の取り付け状況を示す正面図で、島の固定枠にパチンコ機の外枠を取り付けている。
【図２】本発明を適用した前扉の裏面にロックリンクを取り付け、外枠の側枠に係止片とロックピ−スを取り付けた状況を拡大して示す斜視図である。
【図３】本発明に適用したロックリンクを拡大して示す斜視図である。
【図４】図２の要部を拡大して示す斜視図で、ロックリンクのフック片と、側枠に取り付けたロックピ−スの取り付け状況を示している。
【図５】本発明に適用した第１および第２の錠前と、ロックピ−スの取り付け状況を分解し拡大して示す斜視図である。
【０１０６】
【図６】本発明に適用した第２の錠前の錠本体を示す平面図である。
【図７】本発明に適用したロックピ−スを拡大して示す斜視図である。
【図８】本発明に適用した第１および第２の錠前と、ロックピ−スを取り付けた状況を示す断面図で、不正行為による破壊活動前のロックピ−スの変位前の状況を示している
【図９】本発明を適用した第１および第２ホルダ−による側枠への取り付け状況と、ロックピ−スの取り付け状況を分解して示す斜視図である。
【０１０７】
【図１０】本発明を適用した第２の錠前の施錠時における作動状況を、カバ−を取り外して拡大して示す斜視図で、ロックプレ−トが互いに内側へ回動している。
【図１１】本発明を適用した第２の錠前の解錠時における作動状況を、カバ−を取り外して拡大して示す斜視図で、ロックプレ−トが互いに外側へ拡開して回動している
【図１２】本発明に適用した第１および第２の錠前と、ロックピ−スを取り付けた状況を示す断面図で、不正行為による破壊活動後にロックピ−スが前扉側へ伸長変位し、前扉の裏面と側枠との隙間が拡大している。
【図１３】本発明の大２の実施形態を示す斜視図で、外枠をアルミニウム枠で構成している。
【０１０８】
【図１４】図１３の要部を拡大して示す斜視図である。
【図１５】図１４の要部を拡大して示す斜視図である。
【図１６】図１３のＡ−Ａ線に沿う拡大断面図である。
【符号の説明】
【０１０９】
３            遊技機（パチンコ機）
８            枠体（側枠）
９，１０      係止片（係止金具）
１１          扉体（前扉）
２６，２７    フック片
【０１１０】
３９          第１の錠前（シリンダ−錠）
４５          第２の錠前
４６          ロックピ−ス
６４          ロックプレ−ト
７６          装着部（フック片）
７７          変位部（変位片）
【０１１１】
８２          枢軸（螺軸）
８３          ブラケット
８５          長孔
８６          係合突起
８９          係止ピン
【０１１２】
９０          第１ホンダ−
９１          第２ホンダ−
１０７        凸部
１１１        ガイドレ−ル
【図１】
2007289356.tif 000003
【図２】
2007289356.tif 000004
【図３】
2007289356.tif 000005
【図４】
2007289356.tif 000006
【図５】
2007289356.tif 000007
【図６】
2007289356.tif 000008
【図７】
2007289356.tif 000009
【図８】
2007289356.tif 000010
【図９】
2007289356.tif 000011
【図１０】
2007289356.tif 000012
【図１１】
2007289356.tif 000013
【図１２】
2007289356.tif 000014
【図１３】
2007289356.tif 000015
【図１４】
2007289356.tif 000016
【図１５】
2007289356.tif 000017
【図１６】
2007289356.tif 000018